(57)【要約】【課題】押し釦のストローク方向の厚さを薄くし、かつ製造コストを低減しながら、押圧ストローク時の押し釦の傾動を抑制可能な押し釦スイッチを有した電子機器を提供すること。【解決手段】押し釦１１は、基板に上下に離間して設けた２つの弾性付勢突起１５Ａ、１５Ｂにて押し釦１１を上下位置で支え、第１軸３１回りの傾動を抑制する。また、エスカッション２１の係止片２６ａ、２６ｂに揺動可能に係止し係合部１４ｄ、１４ｅを押し釦１１の係合筒部１１ｂの左右の長穴１１ｆ、１１ｇにスライド可能に係合したスタビライザ１４にて第１軸３１と直交する第２軸３２回りの押し釦１１の傾動を抑制する。このように押し釦１１の傾動を傾動方向に応じて弾性付勢突起１５Ａ、１５Ｂとスタビライザ１４とで分担抑制することで、スタビライザ１４を簡素化する。【選択図】  図４
2005011746.tif 000002
【特許請求の範囲】
【請求項１】
表面側に押圧部を設けた押し釦と、
前記押し釦を前記押し釦のストローク方向にガイド可能な穴を形成した保持部材と、
前記押し釦を戻し方向へ付勢する弾性付勢部および前記押し釦の押圧力を受けて作動するスイッチ部をそれぞれ設けた基板と、
前記保持部材および前記基板のいずれかを含む固定側部材と前記押し釦とのうちの一方に揺動可能に係止されるとともに前記固定側部材と前記押し釦とのうちの他方にスライド可能に係合されたスタビライザとを備えた操作部を有し、
前記スタビライザの揺動中心軸に平行な第１軸回りの前記押し釦の傾動を前記弾性部材にて抑制するとともに、前記第１軸に異なる方向の第２軸回りの前記押し釦の傾動を前記スタビライザにて抑制することを特徴とする電子機器。
【請求項２】
前記第１軸と前記第２軸とは、直交または略直交していることを特徴とする請求項１に記載の電子機器。
【請求項３】
前記スタビライザは、線状部材を折り曲げて形成したことを特徴とする請求項１又は請求項２に記載の電子機器。
【請求項４】
前記線状部材は、断面が円形であることを特徴とする請求項３に記載の電子機器。
【請求項５】
前記スタビライザは、前記揺動可能に前記保持部材および前記基板のいずれかを含む固定側部材と前記押し釦とのうちの一方に係止する係止部と、前記固定側部材と前記押し釦とのうちの他方に前記第１軸方向へ離間した位置で前記第２軸方向へスライド可能に係合する２つの係合部と、前記２つの係合部および前記係止部の両端との間をそれぞれ連結する２つの腕部とを有することを特徴とする請求項１乃至請求項４のいずれかに記載の電子機器。
【請求項６】
前記スタビライザは、前記固定側部材に係止し、前記押し釦にスライド可能に係合することを特徴とする請求項１乃至請求項５のいずれかに記載の電子機器。
【請求項７】
前記スタビライザは、前記固定側部材に当接して前記押し釦の前記固定側部材からの抜け出しを規制することを特徴とする請求項１乃至請求項６のいずれかに記載の電子機器。
【請求項８】
前記スタビライザは、前記揺動可能に前記固定側部材に係合する係合部を有し、前記係合部が前記固定側部材に当接して前記押し釦の抜け出しを規制することを特徴とする請求項７に記載の電子機器。
【請求項９】
前記弾性付勢部は、前記第２軸方向に離間した位置で前記基板側から前記押し釦側に向けて突出する少なくとも２つの弾性付勢部であることを特徴とする請求項１乃至請求項８のいずれかに記載の電子機器。
【請求項１０】
前記弾性付勢部は、前記弾性付勢部の内部に前記スイッチ部を収容していることを特徴とする請求項１乃至請求項９に記載の電子機器。
【請求項１１】
前記押し釦を前記第１軸の方向に沿って複数個並べ、前記弾性付勢部を第２軸の方向に互いに離間した複数個の弾性付勢部で構成し、前記スタビライザの前記揺動軸を第１軸と平行に配置したことを特徴とする請求項１乃至請求項１０のいずれかに記載の電子機器。
【発明の詳細な説明】
【０００１】
【発明の属する技術分野】
本発明は、押し釦を押圧してストロークさせることにより電気的なスイッチ部を作動させる操作部を有する電子機器に関する。
【０００２】
【従来の技術】
従来、この種の電子機器に用いられる押し釦スイッチは、操作者が押圧するためのキーキャップと、キーボードフレームと、キーボードフレームにて上部が覆われスイッチ部を設けたメンブレンシートと、一方がキーキャップに、また他方がキーボードフレームにそれぞれ係止、係合されたスタビライザ組立体と、キーキャップ側のステムおよびキーボードフレーム間に配置されキーキャップの押圧力をスイッチ部に伝えたりキーキャップを弾性力で押し戻したりするラバースプリングとを備えている。スタビライザ組立体は、複数の軸承棒を有する２つの梯子型の作動枠が組み合わされて構成され、キーキャップのストロークを比較的短く抑えながらも、キーキャップを水平に保ったまま押し下げることを可能とし、安定したストローク動作を確保することができるようにしている（例えば、特許文献１参照。）。
【０００３】
【特許文献１】
特開平８−４５３７８号公報（第３、４頁、図２）
【０００４】
【発明が解決しようとする課題】
しかし、このような従来の押し釦スイッチでは、スタビライザ組立体が複雑な形状の２つの作動枠をＸ字状に組合せて構成され、スタビライザ組立体のみで押圧ストローク時におけるキーキャップのあらゆる方向の傾動を抑制するようにしていたために、スタビライザ組立体が構造複雑となり、製造コストが高くなるだけでなく、ストローク方向にも厚くなって、その分、押し釦スイッチを薄くすることが難しいという問題があった。
本発明はこのような問題を解決するためになされたもので、キーキャップなどを含む押し釦のストローク方向の厚さをより薄くでき、かつ製造コストも低減しながら、押圧ストローク時の押し釦の傾動を抑制することができる操作部を有する電子機器を提供するものである。
【０００５】
【課題を解決するための手段】
本発明の電子機器は、表面側に押圧部を設けた押し釦と、押し釦をこの押し釦のストローク方向にガイド可能な穴を形成した保持部材と、押し釦を戻し方向へ付勢する弾性付勢部および押し釦の押圧力を受けて作動するスイッチ部を設けた基板と、保持部材および基板のいずれかを含む固定側部材と押し釦とのうちの一方に揺動可能に係止されるとともに固定側部材と押し釦とのうちの他方にスライド可能に係合されたスタビライザとを備えた操作部を有し、スタビライザの揺動中心軸に平行な第１軸回りの押し釦の傾動を弾性付勢部にて抑制するとともに、第１軸に異なる方向の第２軸回りの押し釦の傾動をスタビライザにて抑制する構成を有している。
この構成により、弾性付勢部で第１軸回りの押し釦の傾動を抑制するとともに、スタビライザで第１軸と異なる方向の第２軸回りの押し釦の傾動を抑制することができるので、スタビライザをコンパクトで簡単な構造にできる。この結果、押し釦のストローク方向の厚さをより薄くでき、かつ製造コストも低減しながら、押圧ストローク時の押し釦の傾動を抑制することができる電子機器を提供することが可能となる。
【０００６】
また、本発明の電子機器は、第１軸と第２軸とが、直交または略直交した構成を有している。
この構成により、押し釦の傾動を抑制するのに適した位置に、弾性付勢部とスタビライザとを配置することができる。
【０００７】
また、本発明の電子機器は、スタビライザが、線状部材を折り曲げて形成された構成を有している。
この構成により、スタビライザが簡単かつコンパクトな構造となる。この結果、押し釦スイッチのストローク方向の厚さを薄くでき、また押し釦スイッチの製造コストを低減することができる。
【０００８】
また、本発明の電子機器は、線状部材の断面が円形である構成を有している。
この構成により、スタビライザを安価に製作できる。また、スタビライザの保持部材や基板に対するすべり摩擦を小さく、かつひっかかりをなくせるので、スタビライザの揺動動作やスライド動作がスムーズになって押し釦を安定かつ滑らかにストロークさせることができる。
【０００９】
また、本発明の電子機器は、スタビライザが、揺動可能に保持部材および基板のいずれかと押し釦とのうちの一方に係止する係止部と、保持部材および基板のいずれかと押し釦とのうちの他方に第１軸方向へ離間した位置で第２軸方向へスライド可能に係合する２つの係合部と、２つの係合部および係止部の両端との間をそれぞれ連結する２つの腕部とを有した構成を有している。
この構成により、スタビライザを簡単で厚さの薄い構造とすることができる。また、線状部材を単に折り曲げることで形成することが可能となり、製造コストを低減することができる。
【００１０】
また、本発明の電子機器は、スタビライザが固定側部材に係止し、押し釦にスライド可能に係合する構成を有している。
この構成により、押し釦は操作者が押圧可能な大きさの押圧面を有するように設定されるので、スタビライザが押し釦に係合してスライドする長さを容易に確保することができる。一方、固定側部材はスタビライザが揺動可能に係止されるだけでありスライド代が不要であるので、その係止する部分の長さを短くできる。この結果、複数の押し釦を並べて配置する場合などに、押し釦間の間隔を詰めて配置することが可能となる。
【００１１】
また、本発明の電子機器は、スタビライザが、保持部材に当接して押し釦の固定側部材からの抜け出しを規制する構成を有している。
この構成により、スタビライザを押し釦の抜け出し防止や戻り位置規制のために用いることが可能となり、押し釦に固定側部材からの抜け出し防止用や戻り位置規制用の突起等を別途設ける必要がなくなる。
【００１２】
また、本発明の電子機器は、スタビライザが、揺動可能に固定側部材に係合する係合部を有し、係合部が固定側部材に当接して押し釦の抜け出しを規制する構成を有している。
この構成により、押し釦の固定側部材からの抜け出しを防止したり、押し釦の戻り位置規制するのに、スタビライザにもともと必要な係合部を利用するだけでよく、押し釦のストッパ構造を簡単かつコンパクトにすることができる。
【００１３】
また、本発明の電子機器は、弾性付勢部が、第２軸方向に離間した位置で基板側から押し釦側に向けて突出する少なくとも２つの弾性付勢部である構成を有している。
この構成により、押し釦の傾動を抑制する弾性付勢部を簡単かつコンパクトな形状とすることができる。
【００１４】
また、本発明の電子機器は、弾性付勢部が、この内部にスイッチ部を収容した構成を有している。
この構成により、押し釦スイッチ全体がコンパクトになるとともに、外部からのスイッチ部へ塵などが侵入するのを防ぐことができる。
【００１５】
また、本発明の電子機器は、押し釦を第１軸の方向に沿って複数個並べ、弾性付勢部を第２軸の方向に互いに離間した複数個の弾性付勢部で構成し、スタビライザの揺動軸を第１軸と平行に配置した構成を有している。
この構成により、押し釦を複数個並べて配置する場合、隣り合う押し釦間にスタビライザの揺動軸となる部分を係止するための係止部分を固定側部材に設けなくて済み、押し釦間の間隔を詰めてコンパクトに配置することができる。
【００１６】
【発明の実施の形態】
以下、本発明の実施の形態について、図面を用いて説明する。
図１に示すように、本発明の実施の形態に係る電子機器２０は、操作部である押し釦スイッチ１０を有しており、電子回路（図示せず）等を内蔵したケース（図示せず）の表面側に取付けたエスカッション（保持部材）２１を備えている。エスカッション２１は、その中央でやや上寄りの若干奥まった位置に画面用穴２２が形成されて液晶画面部２３が、またその下方の傾斜面部２１ａ（下方に行くにしたがって奥まり図３にその断面を示す）に押し釦挿入用の穴２４が形成されて押し釦スイッチ１０の押し釦１１が挿入されている。ここでは、押し釦スイッチ１０として、５つの押し釦スイッチ１０ａ〜１０ｅを設けるとともに、穴２４を５つに仕切って、押し釦スイッチ１０ａ〜１０ｅの押し釦１１Ａ〜１１Ｅをそれぞれ収容する。
本発明の実施の形態に係る電子機器２０は、一例として車両搭載のナビゲーション装置やオーディオ装置などである。
【００１７】
以下、本発明の電子機器の主要部である押し釦スイッチを中心に詳細に説明する。
押し釦スイッチ１０の分解斜視図を図２に示す。同図に示すように、押し釦スイッチ１０は、押し釦１１（図２では代表的に１個のみを描き、残りの４個は省略してある）と、押し釦１１を挿入するための穴２４を形成したエスカッション２１と、エスカッション２１の裏面側に取付けられて押し釦１１を裏面側から表面側へ向けて弾性的に押圧する上下の弾性付勢部１５Ａ、１５Ｂおよび図３に示す電気的なスイッチ部１７とを設けた基板１２と、押し釦１１およびエスカッション２１間に揺動可能に取付けたスタビライザ１４とを備えている。なお、エスカッション２１と基板１２とは、本発明の固定側部材を構成する。
【００１８】
以下、押し釦スイッチ１０の上記各部分につきさらに詳細に説明していくが、５つの押し釦スイッチ１０ａ〜１０ｅは実質的に同一の構成を備えているので、１個の押し釦スイッチについてのみ説明する。
【００１９】
押し釦１１は、図２から図４に示すように、裏面側を開口した箱状の形状に形成され、その表面がエスカッション２１の傾斜面２１ａに合わせて傾斜し操作者により押圧操作される押圧部１１ａと、押圧部１１ａの裏面側から水平方向へ突出した係合筒部１１ｂとを有する。この係合筒部１１ｂは、図４に示すように、その下方壁に裏面側へ上下方向に伸びる２つの溝１１ｄ、１１ｅと、その両側壁に上下方向に伸び水平方向に貫通した２つの長穴１１ｆ、１１ｇとがそれぞれ形成される。また、押し釦１１の両側面の上下端には、図１に示すように、それぞれ水平方向に突出した４つの突起１１ｈ〜１１ｋが設けられる。なお、押し釦１１は、夜間に押し釦１１を視認できるように、この裏面に配置した光源（図示せず）から光を受けた場合に押圧部１１ａの表面が明るくなるように少なくともその一部が半透明など透光性を有する材料等で形成される。
【００２０】
エスカッション２１には、図２に示すように、穴２４が４つの仕切り板部２５ａ〜２５ｄにて仕切られ、５つの穴２４ａ〜２４ｅが設けられる。仕切り板部２５ａ〜２５ｄの上下端には、押し釦１１の４つの突起１１ｈ〜１１ｋがガイド可能に係合させられる。また、エスカッション２１の各穴２４ａ〜２４ｅの下方部分には、図４に示すように、穴２４の長手方向に沿って離間した位置に２つの係止片２６ａ、２６ｂが設けられる。
【００２１】
さらに、エスカッション２１の裏面側には、押し釦１１の係合筒部１１ｂを挿入するための枠部２１ｂが設けられる。枠部２１ｂの両側壁の中間部分には、各々水平方向に突出したストッパ部２１ｃ、２１ｄが形成されている。これらのストッパ部２１ｃ、２１ｄは、長穴１１ｆ、１１ｇに対向する位置にそれぞれ設けられ、かつ長穴１１ｆ、１１ｇとほぼ同じ上下方向の長さの溝形状に形成される。この結果、スタビライザ１４の２つの係合部１４ｄ、１４ｅが、溝内をスライドしながら移動可能となる。
一方、ストッパ部２１ｃ、２１ｄの溝は、係合部１４ｄ、１４ｅの前面側に底が位置するように形成してあり、係合部１４ｄ、１４ｅを溝の底に当接させることにより、押し釦１１やスタビライザ１４が、さらに表面側へ移動できないようにしてある。
【００２２】
基板１２は、図２および図３に示すように、エスカッション２１へ取り付けるための２つの取付け部１３ａ、１３ｂが設けられた比較的硬い薄板１８と、上下方向に離間されて配置され押し釦１１を表面側へ弾性的に押圧する弾性付勢部１５Ａ、１５Ｂと、弾性付勢部１５Ａ、１５Ｂの内側と薄板１８との間に配置した電気的なスイッチ部１７とを有する。基板１２は、取付け部１３ａ、１３ｂを貫通するねじ（図示せず）にてエスカッション２１の裏面側に取り付けられる。
【００２３】
上下の弾性付勢部１５Ａ、１５Ｂは、各押し釦１１Ａ〜１１Ｅにそれぞれ対応して上下に配置した２つの弾性付勢部が５組（弾性付勢部１５ａと１５ｂ、弾性付勢部１５ｃと１５ｄ、弾性付勢部１５ｅと１５ｆ、弾性付勢部１５ｇと１５ｈ、弾性付勢部１５ｉと１５ｊ）設けられる。これらの弾性付勢部１５ａ〜１５ｊは、薄板１８の表面側に固着された弾性部材１５の一部を、円錐台状に表面側へ突出させて形成される。
これら上下の弾性付勢部１５Ａ、１５Ｂの先端は、押し釦１１の係合筒部１１ｂの上下壁に各々当接させられ、それらの弾性力で押し釦１１を表面側へ向けて付勢する。
上下の弾性付勢部１５Ａ、１５Ｂ間には、基板１２の裏面側に配置した光源からの光を押し釦１１の裏面へ導く筒状部１６（５つの筒状部１６ａ〜１６ｅからなる）が形成されている。なお、図２中、左側にある３つの筒状部１６ａ、１６ｂ、１６ｃと、右側にある２つの筒状部１６ｄ、１６ｅとは、それらの開口面積を変えて通過する光量が異なるようにしてある。
【００２４】
また、図３に示すように、上下の弾性付勢部１５Ａ、１５Ｂの内部には、薄板１８で覆われた空間がそれぞれ形成され、各空間内にスイッチ部１７が収容される。スイッチ部１７は、弾性付勢部１５Ａの空間内部側部分とこの下方の薄板１８の部分とにそれぞれ第１スイッチ片１７ａ、１７ｂを、また同様に弾性付勢部１５Ｂの空間内部側部分とこの下方の薄板１８の部分とにそれぞれ第２スイッチ片１７ｃ、１７ｄが設けられて構成されている。そして、押し釦１１の押圧操作で両方の弾性付勢部１５Ａ、１５Ｂが押し潰される方向に撓み、第１スイッチ片１７ａ、１７ｂ同士、および第２スイッチ片同士１７ｃ、１７ｄが接触したときにスイッチオンとなって、電流を流す。
【００２５】
スタビライザ１４は、図２から図４に示すように、断面が円形の線状部材を折り曲げて構成する。すなわち、スタビライザ１４は、直線状の係止部１４ａと、この両端から９０度折り曲げられた２つの腕部１４ｂ、１４ｃとでコ字状に形成されるとともに、これらの腕部１４ｂ、１４ｃの先端からそれぞれ９０度折り曲げられて係止部１４ａに平行でかつ互いに離間する方向に伸びる２つの係合部１４ｄ、１４ｅが設けられる。
【００２６】
スタビライザ１４は、図４に示すように、その係止部１４ａがエスカッション２１に設けた２つの係止片２６ａ、２６ｂに揺動可能に係止され、腕部１４ｂ、１４ｃが押し釦１１の裏面側に設けた係合筒部１１ｂの２つの溝１１ｄ、１１ｅにそれぞれ挿入されるとともに、係合部１４ｄ、１４ｅがそれぞれ押し釦１１の係合筒部１１ｂの両側壁に形成した２つの長穴１１ｆ、１１ｇを貫通してこれらの長穴１１ｆ、１１ｇに沿ってスライド可能とされる。
また、スタビライザ１４は、この係合部１４ｄ、１４ｅの長穴１１ｆ、１１ｇから突出した部分が、エスカッション２１の裏面側の枠部２１ｂの両側壁に設けた２つのストッパ部２１ｃ、２１ｄの底にそれぞれ当接可能とされ、押し釦１１が穴２４から前面側へ行き過ぎたり、抜け出たりするのを防止する。
【００２７】
次に、上記押し釦スイッチ１０の動作につき、説明する。
操作者が押し釦１１を押すと、押し釦１１は、上下の弾性付勢部１５Ａ、１５Ｂを押し潰しながら、またこれと同時にスタビライザ１４の係止部１４ａを揺動軸としてスタビライザ１４を揺動させながら、裏面側へ向けてストロークしていく。
【００２８】
このストローク中にあっては、上下の弾性付勢部１５Ａ、１５Ｂは、押圧変形していくが、このとき押し釦１１の係合筒部１１ｂにこの上下から表面側へ向けて弾性的力を作用させ続けるため、上記揺動軸と平行で押し釦１１の中央部分を通る第１軸３１回りの押し釦１１の傾動を抑制する。
【００２９】
一方、スタビライザ１４は、この押圧ストローク中、その係止部１４ａを揺動軸として図３中時計方向回りに揺動していくが、その際２つの係合部１４ｄ、１４ｅが押し釦１１の係合筒部１１の両側壁に設けた長穴１１ｆ、１１ｇにそれぞれ係合してスライドしていく。スタビライザ１４は、この両係合部１４ｄ、１４ｅが常に一直線上にあるようにその姿勢を保つようにして押し釦１１をその左右から支える結果、第１軸３１に対して直交し押し釦１１の中央部分を通る第２軸３２回りの押し釦１１の傾動を抑制する。
【００３０】
したがって、弾性付勢部１５Ａ、１５Ｂとスタビライザ１４との両方の抑制力により、押し釦１１は、いずれの方向にもその傾動が抑制され、安定したストローク動作が行われる。そして、押し釦１１がさらに押し込まれ、上下の弾性付勢部１５Ａ、１５Ｂがさらに撓んでいくと、第１スイッチ片１７ａ、１７ｂ同士、また第２スイッチ片１７ｃ、１７ｄ同士が接触するようになり、スイッチ部１７がスイッチオンとなって電流が流す。
【００３１】
その後、操作者が押し釦１１を押圧するのをやめると、弾性部材１５の上下の弾性付勢部１５Ａ、１５Ｂによる弾性復元力で押し釦１１が表面側へ押し戻されていく。これに伴い、まず第１スイッチ片１７ａ、１７ｂ同士、および第２スイッチ片１７ｃ、１７ｄ同士の接触が解除されてスイッチオフとなり、電流の流れが遮断される。そして、最終的に押し釦１１は、最初の戻り位置まで押し戻される。
なお、この戻りストローク中、スタビライザ１４がその係合部１４ｄ、１４ｅにて押し釦１１を左右から支持しながら係止部１４ａを揺動軸として図３中反時計方向回りに揺動していく。
【００３２】
したがって、押し釦１１は、弾性付勢部１５Ａ、１５Ｂで上下から、またスタビライザ１４の係合部１４ｄ、１４ｅで左右からそれぞれ支えられながらストロークして戻っていくこととなり、その結果、あらゆる方向の押し釦１１の傾動が抑制される。
【００３３】
以上のように、本発明の実施の形態に係る電子機器２０は、この操作部である押し釦スイッチ１０を弾性部材１５の２つの弾性付勢部１５Ａ、１５Ｂで押し釦１１を支えスタビライザ１４の揺動中心軸に平行な第１軸３１回りの押し釦１１の傾動を抑制するとともに、スタビライザ１４の係合部１４ｄ、１４ｅで第１軸３１に対して直交する第２軸３２回りの押し釦１１の傾動を抑制するように構成したので、押し釦１１のストローク中に、いかなる方向の押し釦１１の傾動をも抑制することができる。
また、この押し釦１１の傾動をその傾動方向に応じて弾性付勢部１５Ａ、１５Ｂとスタビライザ１４とで分担抑制するので、スタビライザ１４をたとえば円形断面の線状部材を折り曲げて形成しただけのような簡単かつ厚さの薄い部材で構成することができる。この結果、上記従来の押し釦スイッチよりストローク方向の厚さが薄く、また製造コストを低減可能な押し釦スイッチ１０を得ることが可能となる。
【００３４】
さらに、スタビライザ１４の押し釦１１に係合する両係合部１４ｄ、１４ｅをエスカッション２１の両ストッパ部２１ｃ、２１ｄにそれぞれ当接させて押し釦１１のエスカッション２１の穴２１ａからの抜け出しやスタビライザ１４の過度の戻りを防止するようにしたので、押し釦１１に別途、抜け出し防止用や戻り位置規制用の突起等を形成する必要がなくなる。
また、スタビライザ１４の係止部１４ａをエスカッション２１の２つの係止片２６ａ、２６ｂに揺動可能に係止し、両係合部１４ｄ、１４ｅを押し釦１１の係合筒部１１ｂに形成した２つの長穴１１ｆ、１１ｇにスライド可能に係合させたので、エスカッション２１側ではスタビライザ１４のスライド代を確保する必要がなく、複数の押し釦１１を配置する場合に押し釦１１同士の間隔を詰めて電子機器２０等にコンパクトに配置することが可能となる。
また、スイッチ部１７を弾性付勢部１５Ａ、１５Ｂの内部に配置したので、押し釦スイッチ１０がコンパクトになるとともに外からのスイッチ部１７へ塵などが侵入するのを防ぐことができる。
【００３５】
なお、本発明の電子機器は、上記実施の形態に限られることなく、以下のような修正や変更が可能である。
すなわち、スタビライザ１４は、押し釦１１にスライド可能に係合し、エスカッション２１に揺動可能に係止したが、これらの係合、係止は逆にしてもよい。
また、上記実施の形態に係る電子機器２０の押し釦スイッチ１０ではスタビライザ１４の係止部１４ａおよび両係合部１４ｄ、１４ｅが水平方向になるように、また両弾性付勢部１５Ａ、１５Ｂが上下方向になるようにそれぞれ配置しているが、これらを入れ替えてスタビライザ１４の係止部１４ａおよび両係合部１４ｄ、１４ｅが上下方向に、また両弾性付勢部１５Ａ、１５Ｂが水平方向になるように配置してもよい。
また、スタビライザ１４を係止または係合する相手側は、エスカッション２１に代えて基板１８とするようにしてもよい。
また、押し釦スイッチ１０は、水平方向に押圧ストロークされるようにしたが、いずれの方向に押圧ストロークするようにしてもよい。
また、第１軸３１と第２軸３２とは、これらが直交するようにしたが、必ずしも直交させる必要はなく、互いに異なる方向で押し釦１１の各方向の傾動を実質的に抑制できればよい。
また、上記実施の形態に係る電子機器２０の押し釦スイッチ１０では、スイッチ部１７をスイッチ片１７ａ、１７ｃを弾性付勢部１５Ａ、１５Ｂの内部の頂点側部分に取付けたが、スイッチ部１７を薄板１８側にのみ設け、弾性付勢部１５Ａ、１５Ｂの内部側の部分で押圧するようにしてもよい。
【００３６】
【発明の効果】
以上説明したように、本発明はスタビライザにてこの揺動運動の揺動中心軸と平行な第１軸回りの押し釦の傾動を抑制し、弾性付勢部にて第１軸と異なる方向の第２軸回りの押し釦の傾動を抑制することにより、押し釦のストローク方向の厚さをより薄くでき、かつ製造コストも低減しながら、押圧ストローク時の押し釦の傾動を抑制することができる押し釦スイッチを有した電子機器を提供することができる。
【図面の簡単な説明】
【図１】本発明の実施の形態に係る押し釦スイッチを備えた電子機器の正面図
【図２】図１の電子機器の押し釦スイッチ部分の分解斜視図
【図３】押し釦スイッチの断面側面図
【図４】押し釦スイッチの押し釦近傍部分の背面図
【符号の説明】
１０、１０ａ、１０ｂ、１０ｃ、１０ｄ、１０ｅ  押し釦スイッチ（操作部）
１１、１１Ａ、１１Ｂ、１１Ｃ、１１Ｄ、１１Ｅ  押し釦
１１ａ  押圧部
１１ｆ、１１ｇ  長穴
１２  基板
１４  スタビライザ
１４ａ  係止部
１４ｂ、１４ｃ  腕部
１４ｄ、１４ｅ  係合部
１５  弾性部材
１５Ａ，１５Ｂ，１５ａ、１５ｂ、１５ｃ、１５ｄ、１５ｅ、１５ｆ、１５ｇ、１５ｈ、１５ｉ、１５ｊ  弾性付勢部
１７  スイッチ部
１７ａ、１７ｂ  第１スイッチ片
１７ｃ、１７ｄ  第２スイッチ片
２０  電子機器
２１  エスカッション（保持部材）
２１ｃ、２１ｄ  ストッパ部
２４、２４ａ、２４ｂ、２４ｃ、２４ｄ、２４ｅ  穴
【図１】
2005011746.tif 000003
【図２】
2005011746.tif 000004
【図３】
2005011746.tif 000005
【図４】
2005011746.tif 000006